(57)【要約】【課題】所定の伝送路歪要素の入出力特性を示す伝送路特性情報を識別し更新可能に放送波で伝送する送信装置、及び、放送波で受信した伝送路特性情報を識別して逆特性により等化処理を施して歪補償を行う受信装置を提供する。【解決手段】本発明の送信装置１は、主信号に対し伝送制御情報によって指定される符号化・変調処理を施して伝送主信号を生成する手段（１１ｂ，１２ｂ，１３ｂ，１４ｂ）と、ＴＭＣＣ信号における拡張情報に、当該伝送路特性情報を識別し更新可能に埋め込み、伝送ＴＭＣＣ信号を生成する手段（１１ａ，１２ａ，１３ａ，１４ａ，１５）と、伝送主信号及び伝送ＴＭＣＣ信号を多重して変調波信号を生成する手段（１６，１７）と、を備える。本発明の受信装置３は、送信装置１によって伝送されたＴＭＣＣ信号から当該伝送路特性情報を抽出し、その逆特性により等化処理を施して歪補償を行う。【選択図】図１
2019016994.tif 000002
【特許請求の範囲】
【請求項１】
少なくとも主信号の符号化・変調方式及び割り当てスロットを指定するための伝送制御情報及び拡張情報を有するデジタル放送用のＴＭＣＣ信号を、前記主信号の伝送データに多重伝送することにより伝送制御を行うデジタルデータの送信装置であって、
前記主信号に対し前記伝送制御情報によって指定される符号化・変調処理を施して伝送主信号を生成する伝送主信号生成手段と、
前記拡張情報の領域に、伝送路上の所定の伝送路歪要素の入出力特性を示す伝送路特性情報を識別し更新可能に埋め込んだＴＭＣＣ信号に対し所定の符号化・変調処理を施して伝送ＴＭＣＣ信号を生成する伝送ＴＭＣＣ信号生成手段と、
前記伝送主信号及び前記伝送ＴＭＣＣ信号を多重して変調波信号を生成する変調波信号生成手段と、
を備えることを特徴とする送信装置。
【請求項２】
前記伝送路歪要素は伝送路上の予め定めた複数の対象機器とし、
前記伝送路特性情報は、前記複数の対象機器の各特性を受信側で模擬可能とするよう近似したそれぞれの入出力特性を示す伝送路特性詳細情報と、前記ＴＭＣＣ信号の拡張情報の領域内に前記伝送路特性詳細情報が埋め込まれている旨を少なくとも示す拡張識別と、を含むことを特徴とする、請求項１に記載の送信装置。
【請求項３】
前記伝送路特性情報は、前記伝送路特性詳細情報の更新バージョンを示す特性更新識別と、前記伝送路特性詳細情報を複数フレームに亘って伝送する際に分割したフレーム識別を示す特性領域のいずれか一方、又は双方を更に含むことを特徴とする、請求項２に記載の送信装置。
【請求項４】
前記伝送ＴＭＣＣ信号生成手段は、電力増幅器のＡＭ‐ＡＭ特性及びＡＭ‐ＰＭ特性あるいは、フィルタの周波数‐振幅特性及び周波数‐群遅延特性のうち、いずれか１つ以上を前記所定の伝送路歪要素とすることを特徴とする、請求項１から３のいずれか一項に記載の送信装置。
【請求項５】
前記伝送ＴＭＣＣ信号生成手段は、事前に測定された前記伝送路歪要素となる電力増幅器のＡＭ‐ＡＭ特性及びＡＭ‐ＰＭ特性あるいは、フィルタの周波数‐振幅特性及び周波数‐群遅延特性の情報を当該伝送路特性情報として前記ＴＭＣＣ信号の拡張情報に埋め込むことを特徴とする、請求項４に記載の送信装置。
【請求項６】
前記伝送ＴＭＣＣ信号生成手段は、前記変調波信号又は前記伝送路を介して変換された放送波信号の解析により事前に推定された、前記伝送路歪要素となる電力増幅器のＡＭ‐ＡＭ特性及びＡＭ‐ＰＭ特性あるいは、フィルタの周波数‐振幅特性及び周波数‐群遅延特性の情報を当該伝送路特性情報として前記ＴＭＣＣ信号の拡張情報に埋め込むことを特徴とする、請求項４に記載の送信装置。
【請求項７】
請求項１から６のいずれか一項に記載の送信装置により送信された前記変調波信号から前記伝送路を介して変換された放送波信号を受信する受信装置であって、
前記放送波信号を復調して復調信号を生成する復調手段と、
前記復調信号から前記ＴＭＣＣ信号を分離するＴＭＣＣ信号分離手段と、
前記ＴＭＣＣ信号から前記伝送路特性情報を抽出する伝送路特性情報抽出手段と、
抽出した当該伝送路特性情報から前記伝送路歪要素の入出力特性の逆特性を示す伝送路逆特性情報を生成する逆特性生成手段と、
前記伝送路逆特性情報を用いて前記復調信号に対し等化処理を施すことにより、前記伝送路に起因する歪を補償する等化手段と、
を備えることを特徴とする受信装置。
【請求項８】
前記伝送路歪要素は伝送路上の予め定めた複数の対象機器とし、
前記伝送路特性情報は、前記複数の対象機器の各特性を受信側で模擬可能とするよう近似したそれぞれの入出力特性を示す伝送路特性詳細情報と、前記ＴＭＣＣ信号の拡張情報の領域内に前記伝送路特性詳細情報が埋め込まれている旨を少なくとも示す拡張識別と、前記伝送路特性詳細情報の更新バージョンを示す特性更新識別と、前記伝送路特性詳細情報を複数フレームに亘って伝送する際に分割したフレーム識別を示す特性領域とを含み、
前記伝送路特性情報抽出手段は、前記拡張識別によって前記ＴＭＣＣ信号の拡張情報の領域内に前記伝送路特性詳細情報が埋め込まれているか否かを識別し、前記特性更新識別によって前記伝送路逆特性情報を生成するための前記伝送路歪要素の入出力特性の更新の必要性を判別し、前記特性領域及び前記伝送路特性詳細情報を用いて前記伝送路歪要素の入出力特性の更新を行うことを特徴とする、請求項７に記載の受信装置。
【発明の詳細な説明】
【技術分野】
【０００１】
本発明は、デジタル放送の伝送路特性の歪補償技術に関し、特に、受信側で伝送路の逆特性を利用して歪補償させるための伝送路に関する情報を送信する送信装置、当該伝送路に関する情報を受信し、逆特性により等化処理を施して送信装置から送信された信号の歪補償を行う受信装置に関する。
【背景技術】
【０００２】
４Ｋ／８Ｋの超高精細映像のような高ビットレートの伝送要求が高まっており、伝送容量の拡大が求められている。このため、例えば４Ｋ／８Ｋの超高精細映像の伝送に係る高度広帯域衛星デジタル放送の伝送方式（ＩＳＤＢ−Ｓ３）の標準規格（ＡＲＩＢ ＳＴＤ−Ｂ４４）が策定されている。一方、衛星放送のような非線形特性を有する伝送路においては、ＡＰＳＫ（Amplitude and Phase-Shift Keying）信号のような信号点配置の数の多い変調波信号ほど非線形歪の影響を受けやすくなる。
【０００３】
（伝送路特性と歪）
１２ＧＨｚ帯、或いは２１ＧＨｚ帯の衛星放送における伝送路特性として、典型的なものに、放送衛星に搭載される衛星中継器に設けられる入力フィルタ（ＩＭＵＸフィルタ）、電力増幅器（ＴＷＴＡ）、及び出力フィルタ（ＯＭＵＸフィルタ）がある。
【０００４】
ＩＭＵＸフィルタは、各チャンネル周波数に対応した帯域通過フィルタであり、地上放送局から受信した複数チャンネルの変調波信号のうち１チャンネル分の帯域成分のみをそれぞれ抽出し、それぞれのＴＷＴＡに出力する。尚、地上放送局では、送信装置からの変調波信号を大電力増幅器（ＨＰＡ）により電力増幅し、衛星中継器に向けてアップリンクしている。
【０００５】
ＴＷＴＡは、抽出した１チャンネル分の変調波信号について電力増幅を行い、ＯＭＵＸフィルタに出力する。
【０００６】
ＯＭＵＸフィルタは、各チャンネル周波数に対応した帯域通過フィルタであり、ＴＷＴＡによって電力増幅した変調波信号に対し、１チャンネル分の帯域成分のみを抽出し、不要周波数成分を抑圧した変調波信号を放送波信号として生成し、地上の受信装置に向けて出力する。
【０００７】
ここで、ＩＭＵＸフィルタ、ＴＷＴＡ、及びＯＭＵＸフィルタの各伝送路特性が変調波信号に与える影響について説明する。
【０００８】
本来、ＴＷＴＡは入力信号と出力信号との間の振幅及び位相の関係が比例関係となる入出力特性で電力増幅処理することが望ましい。しかしながら、この入出力特性は、実際には入力信号の利得が大きくなると出力信号の利得が低下する非線形性（ＡＭ‐ＡＭ特性）を有し、同時に入力信号に対する出力信号の位相も回転し非線形性（ＡＭ‐ＰＭ特性）を有する。従って、入力信号の利得が或るレベル内であれば出力信号の利得もほぼ線形の出力レベルとなるが、入力信号の利得が或るレベルを超えると、出力レベルが逆に低下する現象が生じる。このような出力レベルの低下が起こる直前の動作点を、一般に、出力飽和点という。また、この出力飽和点から入力レベルを下げて運用する場合を入力バックオフ（ＩＢＯ）といい、同様に、入力レベルを絞って、出力レベルを下げた状態で運用する場合を出力バックオフ（ＯＢＯ）という。とりわけ、１６ＡＰＳＫや３２ＡＰＳＫといったＡＰＳＫ変調の場合、振幅・位相の信号点配置において複数の振幅を持つ信号点が存在するため、ＰＳＫ変調と比較してＴＷＴＡの非線形性によって所要Ｃ／Ｎの劣化を起こしやすい。
【０００９】
また、ＩＭＵＸフィルタ及びＯＭＵＸフィルタは、帯域成分を抽出及び波形生成するという観点から、変調波帯域内の周波数において振幅差（周波数‐振幅特性）や群遅延差（周波数‐群遅延特性）が存在する。これらの差は帯域内周波数において不均―となるため、時間軸上でみたときにシンボル遷移に依存した異なる遅延となる。このため、シンボル間での干渉（ＩＳＩ）を引き起こし、信号点としての広がりとなるため、所要Ｃ／Ｎが劣化することになる。
【００１０】
このようなＴＷＴＡのＡＭ‐ＡＭ特性及びＡＭ‐ＰＭ特性、並びにＩＭＵＸフィルタ及びＯＭＵＸフィルタの周波数‐振幅特性や周波数‐群遅延特性は、無変調波の入出力信号の測定により取得でき、これらの伝送路特性は時系列数値データとして示される。即ち、伝送路特性の数値データ情報（以下、「伝送路特性情報」と称する。）を送信装置、或いは受信装置で有していれば実際の伝送路で起こりうる歪をデジタル信号上で再現できる。
【００１１】
そこで、この伝送路特性情報を用いて、送信側で予め伝送路歪を補償する送信歪補償技術と、受信側で伝送路歪を補償する受信等化技術が知られている。
【００１２】
例えば、送信歪補償技術として、送信装置において伝送路通過後の信号点配置をシンボルごとに予測し、その逆ベクトルとなる信号点で直交変調し、送信装置から当該伝送路を介して受信装置へ送信することで、実際の伝送路で受ける歪を軽減する技法が開示されている（例えば、特許文献１参照）。
【００１３】
また、受信等化技術として、伝送路特性情報を用いて、その伝送路特性の逆特性を生成し利用することで、伝送路歪に対し元の理想的な信号点に近づける等化処理を施す技法が開示されている（例えば、特許文献２参照)。尚、衛星中継器で生じる伝送路歪の補償するために、衛星中継器の入出力特性の逆特性を受信装置の等化器の一部として組み込み、この等化器による歪補償性能を評価した報告が為されている（例えば、非特許文献１参照）。
【００１４】
（伝送路特性の推定）
上記の送信歪補償技術及び受信等化技術は、伝送路特性情報を用いて伝送路特性が既知である時に伝送路の歪補償を行う技法である。しかし、実際の衛星中継器のうち、とりわけＴＷＴＡの特性は経年使用により変化し、歪補償の効果を引き出せない可能性がある。また当該衛星中継器を搭載した放送衛星の打ち上げ後は、無変調波信号によるＡＭ‐ＡＭ特性及びＡＭ‐ＰＭ特性の測定が困難である。そこで送信装置から衛星中継器へのアップリンク及び衛星中継器から受信装置へのダウンリンクの放送波信号から、ＴＷＴＡのＡＭ‐ＡＭ特性及びＡＭ‐ＰＭ特性に関する伝送路特性を推定する技法が開示されている（例えば、特許文献３参照）。従って、この推定した伝送路特性を示す伝送路特性情報を、上記の送信歪補償技術及び受信等化技術に利用することができる。
【先行技術文献】
【特許文献】
【００１５】
【特許文献１】特開２０１０−１３６２５４号公報
【特許文献２】特開２０１６−５９０２７号公報
【特許文献３】特開２０１２−１７８７４０号公報
【非特許文献】
【００１６】
【非特許文献１】小島，鈴木，小泉，斎藤，田中、“APSK伝送における衛星中継器特性を利用した等化器の性能検証”、電子情報通信学会技術研究報告 Vol.116 No.144、pp.35-38、心学SAT2016-17 、電子情報通信学会、2016年7月14日発行
【発明の概要】
【発明が解決しようとする課題】
【００１７】
上述したように、非線形歪を補償し、受信性能を改善する従来技術として、伝送路特性情報を利用して伝送路で受ける歪を送信側で予め予測し、その逆特性となる信号を送信する送信歪補償技術や、伝送路特性情報の逆特性を利用し、等化器の一部として組み込む受信等化技術がある。
【００１８】
そして、送信装置から衛星中継器へアップリンクする変調波信号、及び衛星中継器から受信装置へのダウンリンクする放送波信号から、ＴＷＴＡのＡＭ‐ＡＭ特性及びＡＭ‐ＰＭ特性に関する伝送路特性を推定し、この推定した伝送路特性を示す伝送路特性情報を利用することも可能である。
【００１９】
しかしながら、衛星打ち上げ前から既知の、或いは衛星打ち上げ後に推定した伝送路特性情報の逆特性を利用し、等化器の一部として組み込む受信等化技術において、時事その伝送路特性情報を更新したい場合に、如何にして情報伝達するかが問題となる。
【００２０】
例えば、事業者である送信側が伝送路特性情報を更新したい場合に送信装置から受信装置に伝送するとしても、受信装置は複数箇所あるため、例えば通信路を利用して情報伝送することはリアルタイム性（即応性）の観点、及びインフラ設備の観点でも課題が多い。
【００２１】
このため、送信側で伝送路特性情報を更新し、放送波信号の受信と同様に受信側で識別可能に伝送する工夫、並びに、受信側で更新可能とした伝送路特性情報を識別し一斉に受信できるようにする工夫が必要となる。
【００２２】
更に、将来的に、４Ｋ／８Ｋ等の超高精細映像の伝送に際し、変調多値数を増大させ、より高ビットレートの伝送を実現するには、伝送路特性情報として、ＴＷＴＡのＡＭ‐ＡＭ特性及びＡＭ‐ＰＭ特性、並びにＩＭＵＸフィルタ及びＯＭＵＸフィルタの周波数‐振幅特性や周波数‐群遅延特性のみでは足りず、地上放送局内における大電力増幅器（ＨＰＡ）のＡＭ‐ＡＭ特性及びＡＭ‐ＰＭ特性についても加味して、送信装置及び受信装置間の伝送路におけるより厳密な非線形成分の補償が求められる可能性がある。
【００２３】
そこで、本発明の目的は、上述の問題に鑑みて、地上放送局内の大電力増幅器（ＨＰＡ）、及び衛星中継器内の入力フィルタ（ＩＭＵＸフィルタ）、電力増幅器（ＴＷＴＡ）、及び出力フィルタ（ＯＭＵＸフィルタ）等の所定の伝送路歪要素の入出力特性を示す伝送路特性情報を識別し更新可能に放送波で伝送する送信装置、及び、放送波で受信した伝送路特性情報を識別して逆特性により等化処理を施して歪補償を行う受信装置を提供することにある。
【課題を解決するための手段】
【００２４】
本発明は、伝送路特性情報の伝送のために、デジタル放送のＴＭＣＣ信号の拡張情報の領域を用いる。本発明に係る送信装置は、伝送路特性情報をＴＭＣＣ信号の拡張領域に埋め込み、映像信号や音声信号等と同様に多重化して直交変調し、その変調波信号を衛星中継器に向けてアップリンクする。本発明に係る受信装置は、伝送路特性情報の埋め込まれたＴＭＣＣ信号を含む放送波信号を衛星中継器からのダウンリンクとして受信し、直交復調後、ＴＭＣＣ信号を分離してＴＭＣＣ信号の拡張領域における伝送路特性情報を抽出する。そして、本発明に係る受信装置は、抽出した伝送路特性情報の逆特性を等化器の一部として組み込み、伝送路の歪補償を行う。
【００２５】
即ち、本発明の送信装置は、少なくとも主信号の符号化・変調方式及び割り当てスロットを指定するための伝送制御情報及び拡張情報を有するデジタル放送用のＴＭＣＣ信号を、前記主信号の伝送データに多重伝送することにより伝送制御を行うデジタルデータの送信装置であって、前記主信号に対し前記伝送制御情報によって指定される符号化・変調処理を施して伝送主信号を生成する伝送主信号生成手段と、前記拡張情報の領域に、伝送路上の所定の伝送路歪要素の入出力特性を示す伝送路特性情報を識別し更新可能に埋め込んだＴＭＣＣ信号に対し所定の符号化・変調処理を施して伝送ＴＭＣＣ信号を生成する伝送ＴＭＣＣ信号生成手段と、前記伝送主信号及び前記伝送ＴＭＣＣ信号を多重して変調波信号を生成する変調波信号生成手段と、を備えることを特徴とする。
【００２６】
また、本発明の送信装置において、前記伝送路歪要素は伝送路上の予め定めた複数の対象機器とし、前記伝送路特性情報は、前記複数の対象機器の各特性を受信側で模擬可能とするよう近似したそれぞれの入出力特性を示す伝送路特性詳細情報と、前記ＴＭＣＣ信号の拡張情報の領域内に前記伝送路特性詳細情報が埋め込まれている旨を少なくとも示す拡張識別と、を含むことを特徴とする。
【００２７】
また、本発明の送信装置において、前記伝送路特性情報は、前記伝送路特性詳細情報の更新バージョンを示す特性更新識別と、前記伝送路特性詳細情報を複数フレームに亘って伝送する際に分割したフレーム識別を示す特性領域のいずれか一方、又は双方を更に含むことを特徴とする。
【００２８】
また、本発明の送信装置において、前記伝送ＴＭＣＣ信号生成手段は、電力増幅器のＡＭ‐ＡＭ特性及びＡＭ‐ＰＭ特性あるいは、フィルタの周波数‐振幅特性及び周波数‐群遅延特性のうち、いずれか１つ以上を前記所定の伝送路歪要素とすることを特徴とする。
【００２９】
また、本発明の送信装置において、前記伝送ＴＭＣＣ信号生成手段は、事前に測定された前記伝送路歪要素となる電力増幅器のＡＭ‐ＡＭ特性及びＡＭ‐ＰＭ特性あるいは、フィルタの周波数‐振幅特性及び周波数‐群遅延特性の情報を当該伝送路特性情報として前記ＴＭＣＣ信号の拡張情報に埋め込むことを特徴とする。
【００３０】
また、本発明の送信装置において、前記伝送ＴＭＣＣ信号生成手段は、前記変調波信号又は前記伝送路を介して変換された放送波信号の解析により事前に推定された、前記伝送路歪要素となる電力増幅器のＡＭ‐ＡＭ特性及びＡＭ‐ＰＭ特性あるいは、フィルタの周波数‐振幅特性及び周波数‐群遅延特性の情報を当該伝送路特性情報として前記ＴＭＣＣ信号の拡張情報に埋め込むことを特徴とする。
【００３１】
また、本発明の送信装置において、前記伝送ＴＭＣＣ信号生成手段は、当該送信装置から出力される変調波信号を電力増幅して衛星中継器に向けて出力する大電力増幅器、前記衛星中継器に搭載され当該電力増幅した変調波信号に対し帯域抽出する入力フィルタ、当該帯域抽出した変調波信号を電力増幅する電力増幅器、及び、該電力増幅器によって電力増幅した変調波信号に対し帯域抽出した変調波信号を放送波信号として生成し受信側に出力する出力フィルタのうち、いずれか１つ以上を前記所定の伝送路歪要素とすることを特徴とする。
【００３２】
また、本発明の送信装置において、前記伝送ＴＭＣＣ信号生成手段は、当該送信装置から前記衛星中継器へアップリンクする前記変調波信号及び前記衛星中継器から受信側へのダウンリンクする前記放送波信号から推定した、前記衛星中継器に搭載される前記電力増幅器のＡＭ‐ＡＭ特性及びＡＭ‐ＰＭ特性を少なくとも含む当該伝送路特性情報を前記ＴＭＣＣ信号における拡張情報に対し識別し更新可能に埋め込むことを特徴とする。
【００３３】
更に、本発明の受信装置は、本発明の送信装置により送信された前記変調波信号から前記伝送路を介して変換された放送波信号を受信する受信装置であって、前記放送波信号を復調して復調信号を生成する復調手段と、前記復調信号から前記ＴＭＣＣ信号を分離するＴＭＣＣ信号分離手段と、前記ＴＭＣＣ信号から前記伝送路特性情報を抽出する伝送路特性情報抽出手段と、抽出した当該伝送路特性情報から前記伝送路歪要素の入出力特性の逆特性を示す伝送路逆特性情報を生成する逆特性生成手段と、前記伝送路逆特性情報を用いて前記復調信号に対し等化処理を施すことにより、前記伝送路に起因する歪を補償する等化手段と、を備えることを特徴とする。
【００３４】
また、本発明の受信装置において、前記伝送路歪要素は伝送路上の予め定めた複数の対象機器とし、前記伝送路特性情報は、前記複数の対象機器の各特性を受信側で模擬可能とするよう近似したそれぞれの入出力特性を示す伝送路特性詳細情報と、前記ＴＭＣＣ信号の拡張情報の領域内に前記伝送路特性詳細情報が埋め込まれている旨を少なくとも示す拡張識別と、前記伝送路特性詳細情報の更新バージョンを示す特性更新識別と、前記伝送路特性詳細情報を複数フレームに亘って伝送する際に分割したフレーム識別を示す特性領域とを含み、前記伝送路特性情報抽出手段は、前記拡張識別によって前記ＴＭＣＣ信号の拡張情報の領域内に前記伝送路特性詳細情報が埋め込まれているか否かを識別し、前記特性更新識別によって前記伝送路逆特性情報を生成するための前記伝送路歪要素の入出力特性の更新の必要性を判別し、前記特性領域及び前記伝送路特性詳細情報を用いて前記伝送路歪要素の入出力特性の更新を行うことを特徴とする。
【発明の効果】
【００３５】
本発明によれば、送信装置は、ＴＭＣＣ信号を用いて伝送路特性情報を放送波で伝送し、受信装置は当該伝送路特性情報を放送波で受信しその逆特性により等化処理を施して歪補償を行うため、歪補償性能を更に向上させることができ、尚且つ、リアルタイム性（即応性）の向上、及びインフラ設備のコスト低下を図ることができる。
【図面の簡単な説明】
【００３６】
【図１】本発明に係る一実施形態の伝送システムの概略構成を示すブロック図である。
【図２】本発明による一実施形態の送信装置及び受信装置の概略構成を示すブロック図である。
【図３】本発明に係る高高度広帯域衛星デジタル放送の伝送方式（ＩＳＤＢ−Ｓ３）のＴＭＣＣ信号のビット割当てを示す図である。
【図４】（ａ）,（ｂ）,（ｃ）は、それぞれ本発明に係る伝送路特性情報を埋め込む際のＴＭＣＣ信号の拡張情報の詳細構造を例示する図である。
【図５】本発明による一実施形態の送信装置における伝送制御情報及び伝送路特性情報フレーム生成部の詳細ブロック図である。
【図６】本発明による一実施形態の受信装置における伝送制御情報及び伝送路特性情報フレーム分離部の詳細ブロック図である。
【図７】本発明に係るＴＭＣＣ信号の送信用レジスタの設定動作によって構成した一実施例のＴＭＣＣ信号内の拡張領域のフレーム構成を例示する図である。
【図８】本発明に係る一実施例の伝送路特性情報の一例（ＴＷＴＡ）のＡＭ‐ＡＭ特性（ＡＭ／ＡＭ）及びＡＭ‐ＰＭ特性（ＡＭ／ＰＭ）を示す図である。
【図９】本発明による一実施形態の受信装置における更新制御部による伝送路特性情報の更新制御動作の一例を示すフローチャートである。
【図１０】本発明に係る一実施例の伝送路特性情報の一例（ＴＷＴＡ）のＡＭ‐ＡＭ特性（ＡＭ／ＡＭ）及びＡＭ‐ＰＭ特性（ＡＭ／ＰＭ）の逆特性を示す図である。
【図１１】（ａ）,（ｂ）,（ｃ）は、それぞれ本発明に係るＴＭＣＣ信号の拡張情報として埋め込む伝送路特性情報の実施例を示す図である。
【発明を実施するための形態】
【００３７】
以下、図面を参照して、本発明による一実施形態の一実施形態の送信装置１及び受信装置３を説明する。
【００３８】
〔伝送システム〕
図１は、本発明による一実施形態の送信装置１及び受信装置３を備える伝送システムの概略構成を例示するブロック図である。図１に示す一実施形態の伝送システムは、本発明に係る伝送路特性情報の伝送を高度広帯域衛星デジタル放送の伝送方式（ＩＳＤＢ−Ｓ３）に適用した例であり、地上放送局における送信装置１と、衛星中継器２と、複数の受信装置３‐１，３‐２，…，３‐ｎ（以下、ｎは１以上の整数であり、包括して「受信装置３」と称する。）により構成される。
【００３９】
地上放送局では、送信装置１からの変調波信号を大電力増幅器（ＨＰＡ）１ａにより電力増幅し、衛星中継器２に向けてアップリンクしている。
【００４０】
即ち、送信装置１は、伝送フレームにおける各スロットへの変調方式、誤り訂正の符号化率の割り当て、及び伝送する主信号の割り当てスロットを少なくとも含む伝送制御情報と、拡張情報とで構成された伝送制御信号（以下、ＴＭＣＣ信号）を主信号に多重することにより、直交変調されたＴＭＣＣ信号を含む変調波信号を生成し、大電力増幅器（ＨＰＡ）１ａを介して電力増幅し、衛星中継器２に向けて送信（アップリンク）する。
【００４１】
放送衛星に搭載される衛星中継器２は、入力フィルタ（ＩＭＵＸフィルタ）２１、電力増幅器（ＴＷＴＡ）２２、及び出力フィルタ（ＯＭＵＸフィルタ）２３を備え、ＩＭＵＸフィルタ２１により地上放送局から受信した複数チャンネルの変調波信号のうち１チャンネル分の帯域成分のみをそれぞれ抽出し、ＴＷＴＡ２２による電力増幅後、ＯＭＵＸフィルタ２３により１チャンネル分の帯域成分のみを抽出し、不要周波数成分を抑圧した変調波信号を放送波信号として生成し、地上の受信装置３に向けて出力（ダウンリンク）する。
【００４２】
ここで、本発明に係るＴＭＣＣ信号には、その拡張情報の領域に、伝送路特性情報が埋め込まれている。伝送路特性情報は、詳細は後述するが、伝送路上の予め定めた複数の対象機器、即ち地上放送局内の大電力増幅器（ＨＰＡ）１ａ、及び衛星中継器２内のＩＭＵＸフィルタ２１、ＴＷＴＡ２２、及びＯＭＵＸフィルタ２３を伝送路歪要素とし、それぞれの伝送路歪要素の入出力特性を伝送路特性詳細情報として個別に示すものとなっている。そして、送信装置１は、この伝送路特性情報を識別し更新可能にしてＴＭＣＣ信号により伝送する。
【００４３】
受信装置３は、衛星中継器２からダウンリンクされた放送波信号を直交復調し、まずは主信号に係る復調処理及び誤り訂正の復号処理を制御するためにＴＭＣＣ信号を抽出して伝送フレームにおける各スロットへの変調方式、誤り訂正の符号化率の割り当て、及び伝送する主信号の割り当てスロットを少なくとも含む伝送制御情報を抽出する。そして、受信装置３は、ＴＭＣＣ信号内の伝送制御情報を用いて主信号に係る復調処理及び誤り訂正の復号処理を制御するとともに、ＴＭＣＣ信号の拡張情報の領域から上記の伝送路特性情報を抽出し、歪補償用の逆特性の情報（伝送路逆特性情報）を生成し、直交復調後の信号に対し等化処理を行う。これにより、受信装置３は、歪補償後の映像・音声等の主信号とＴＭＣＣ信号内の伝送制御情報とを分離して外部に出力する。
【００４４】
〔送信装置〕
図２は、本発明による一実施形態の送信装置１及び受信装置３の概略構成を示すブロック図である。図２を参照するに、本実施形態の送信装置１は、伝送制御情報及び伝送路特性情報フレーム生成部１１ａと、フレーム生成部１１ｂと、ＢＣＨ符号化部１２ａ，１２ｂと、ＬＤＰＣ符号化部１３ａ，１３ｂと、マッピング部１４ａ，１４ｂと、伝送路特性情報発生部１５と、信号点系列多重部１６と、直交変調部１７と、を備える。ここで、伝送制御情報及び伝送路特性情報フレーム生成部１１ａ及び伝送路特性情報発生部１５が新たに設けられている点で、高度広帯域衛星デジタル放送の伝送方式（ＩＳＤＢ−Ｓ３）における現行の標準規格（ＡＲＩＢ ＳＴＤ−Ｂ４４  ２．１版）から改良されたものとなっており、その他の構成要素については現行の機能部と同様であるが、以下、簡潔に説明する。
【００４５】
フレーム生成部１１ｂは、固定長のＴＳ（Transport Stream）パケットよりなる１以上のＭＰＥＧ−２ ＴＳ、或いは可変長パケットとして構成されるＴＬＶ（Type Length Value）等のストリームを主信号として入力し、この主信号を所定ビット列単位で伝送フレーム内の各スロットに割り当てる。ここではＭＰＥＧ−２ ＴＳについて説明するが、本方式の１伝送フレームは１２０スロットで構成され、最大１６のＴＳを、スロットを単位として割り当てることができる。各スロットへのＴＳの割り当ては、外部から供給される伝送制御情報に基づいて行う。各ＴＳには０〜１５の相対ストリーム番号が割り当てられ、さらに各相対ストリーム番号には１６ビットのストリーム識別が対応付けられる。
【００４６】
伝送制御情報は、伝送フレームにおける各スロットにおける、変調方式、誤り訂正の符号化率の割り当て、及び伝送する主信号の割り当てスロット数を少なくとも含む情報で構成されており、その内容は、２フレーム後の伝送制御に使用される。従って、伝送制御情報の内容は、ＴＳなどの主信号を伝送するフレーム構成を更新する２フレーム前に更新される。
【００４７】
伝送制御情報及び伝送路特性情報フレーム生成部１１ａは、当該伝送制御情報を入力し、この伝送制御情報を含むＴＭＣＣ信号を構成して、多重フレームと同じ周期で伝送制御情報のフレーム化を行うとともに、フレーム生成部１１ｂ、ＢＣＨ符号化部１２ｂ、ＬＤＰＣ符号化部１３ｂ、マッピング部１４ｂ、及び、信号点系列多重部１６に、ゲート信号などの各種制御信号を生成し供給する。
【００４８】
ＢＣＨ符号化部１２ｂは、フレーム生成部１１ｂでフレーム化した主信号のデータに対し、主信号用に予め規定されたＢＣＨ符号のパリティを付加してＬＤＰＣ符号化部１３ｂに出力する。尚、異なる訂正能力のＢＣＨ符号をＴＭＣＣ信号により指定し、伝送制御情報及び伝送路特性情報フレーム生成部１１ａから供給される制御信号によりＢＣＨ符号の種別を指定する構成としてもよい。
【００４９】
ＬＤＰＣ符号化部１３ｂは、主信号のデータに関してＢＣＨ符号のパリティを付加したデータに対し、伝送制御情報及び伝送路特性情報フレーム生成部１１ａから供給される制御信号により指定された符号化率のＬＤＰＣ符号のパリティを付加してマッピング部１４ｂに出力する。
【００５０】
マッピング部１４ｂは、主信号のデータに関してＢＣＨ符号及びＬＤＰＣ符号のパリティを付加したデータに対し、伝送制御情報及び伝送路特性情報フレーム生成部１１ａから供給される制御信号により指定された変調方式のマッピングを行い、Ｉ−Ｑ平面上の信号点（同相成分Ｉと直交位相成分Ｑの直交信号の信号点）の系列を信号点系列多重部１６に出力する。このようにして、フレーム生成部１１ｂでフレーム化された主信号は、符号化及び変調用にマッピングされた信号点系列の伝送主信号として、信号点系列多重部１６に出力される。
【００５１】
一方、伝送路特性情報発生部１５は、伝送制御情報及び伝送路特性情報フレーム生成部１１ａに対し、衛星中継器２を搭載した衛星打ち上げ前から既知の、或いは衛星打ち上げ後に推定した伝送路特性情報を発生させ、伝送制御情報及び伝送路特性情報フレーム生成部１１ａに供給する。伝送路特性情報は、伝送路上の予め定めた複数の対象機器、即ち地上放送局内の大電力増幅器（ＨＰＡ）１ａ、及び衛星中継器２内のＩＭＵＸフィルタ２１、ＴＷＴＡ２２、及びＯＭＵＸフィルタ２３を伝送路歪要素とし、それぞれの伝送路歪要素の入出力特性を伝送路特性詳細情報として個別に示すものであり、送信装置１側で時事更新可能になっている。ここで、伝送路特性情報の生成には、特許文献１乃至３に関して上述した技法を利用することができる。
【００５２】
従って、伝送制御情報及び伝送路特性情報フレーム生成部１１ａでフレーム化されたＴＭＣＣ信号のデータには、伝送路特性情報発生部１５から供給される伝送路特性情報が埋め込まれる。
【００５３】
ＢＣＨ符号化部１２ａは、伝送制御情報及び伝送路特性情報フレーム生成部１１ａでフレーム化された伝送制御情報及び伝送路特性情報を含むＴＭＣＣ信号のデータに対し、ＴＭＣＣ信号用に予め規定されたＢＣＨ符号のパリティを付加してＬＤＰＣ符号化部１３ａに出力する。
【００５４】
ＬＤＰＣ符号化部１３ａは、ＴＭＣＣ信号用に予め規定された符号化率（１／３）のＬＤＰＣ符号のパリティを付加してマッピング部１４ａに出力する。
【００５５】
マッピング部１４ａは、ＢＣＨ符号及びＬＤＰＣ符号のパリティを付加したデータに対し、ＴＭＣＣ信号用に予め規定された変調方式（π／２シフトＢＰＳＫ）のマッピングを行い、Ｉ−Ｑ平面上の信号点の系列を信号点系列多重部１６に出力する。このようにして、伝送制御情報及び伝送路特性情報フレーム生成部１１ａでフレーム化された伝送制御情報及び伝送路特性情報を含むＴＭＣＣ信号は、符号化及び変調用にマッピングされた信号点系列の伝送ＴＭＣＣ信号として、信号点系列多重部１６に出力される。
【００５６】
信号点系列多重部１６は、マッピング部１４ａ，１４ｂからそれぞれ出力された信号点系列を入力し、伝送制御情報及び伝送路特性情報フレーム生成部１１ａから供給される制御信号に基づいて、本方式で規定された順序で時分割多重して直交変調部１７に出力する。
【００５７】
直交変調部１７は、時分割多重された信号点系列に対し、それぞれの信号点系列に対応する変調方式で直交変調処理を施し、変調波信号を生成して伝送路、即ち大電力増幅器（ＨＰＡ）１ａに出力する。
【００５８】
〔受信装置〕
一方、受信装置３は、図２に示すように、直交復調部３１と、等化部３２と、信号点系列分離部３３と、ＬＬＲ計算部３４ａ，３４ｂと、ＬＤＰＣ復号部３５ａ，３５ｂと、ＢＣＨ復号部３６ａ，３６ｂと、伝送制御情報及び伝送路特性情報フレーム分離部３７ａと、フレーム分離部３７ｂと、伝送路特性情報抽出部３８、及び逆特性情報生成部３９を備える。ここで、伝送制御情報及び伝送路特性情報フレーム分離部３７ａ、等化部３２、伝送路特性情報抽出部３８、及び逆特性情報生成部３９が新たに設けられている点で、高度広帯域衛星デジタル放送の伝送方式（ＩＳＤＢ−Ｓ３）における現行の標準規格（ＡＲＩＢ ＳＴＤ−Ｂ４４  ２．１版）から改良されたものとなっており、その他の構成要素については現行の機能部と同様であるが、以下、簡潔に説明する。
【００５９】
直交復調部３１は、送信装置１から、大電力増幅器（ＨＰＡ）１ａ及び衛星中継器２を含む伝送路を介して変調波信号から変換されて伝送される放送波信号を入力し、直交復調処理を施して、時分割多重された信号点系列に変換し、等化部３２に出力する。
【００６０】
等化部３２は、逆特性情報生成部３９から得られる伝送路逆特性情報を基に、直交復調部３１から得られる時分割多重された信号点系列に対し等化処理を行って、信号点系列分離部３３に出力する機能部であり、伝送路逆特性情報を一度も得ていない状態では、直交復調部３１から得られる時分割多重された信号点系列をそのまま信号点系列分離部３３に出力する。伝送路逆特性情報は、伝送路上の予め定めた複数の対象機器、即ち地上放送局内の大電力増幅器（ＨＰＡ）１ａ、及び衛星中継器２内のＩＭＵＸフィルタ２１、ＴＷＴＡ２２、及びＯＭＵＸフィルタ２３を伝送路歪要素とし、それぞれの伝送路歪要素の入出力特性の逆特性を示す情報である。
【００６１】
信号点系列分離部３３は、等化部３２から時分割多重された信号点系列を入力し、伝送ＴＭＣＣ信号に対応する信号点系列を分離して、ＬＬＲ計算部３４ａに出力するとともに、伝送主信号に対応する信号点系列を分離して、ＬＬＲ計算部３４ｂに出力する。
【００６２】
ＬＬＲ計算部３４ａは、伝送ＴＭＣＣ信号に対応する信号点系列に対し、ＴＭＣＣ信号用に予め規定された変調方式の信号点配置に基づき対数尤度比（ＬＬＲ）系列を計算しＬＤＰＣ復号部３５ａに出力する。
【００６３】
ＬＤＰＣ復号部３５ａは、ＬＬＲ計算部３４ａから出力されたＬＬＲ系列に基づいて、ＴＭＣＣ信号用に予め規定された符号化率（１／３）でＬＤＰＣ復号処理を施し、ＢＣＨ復号部３６ａに出力する。
【００６４】
ＢＣＨ復号部３６ａは、ＬＤＰＣ復号部３５ａからから出力されたＬＤＰＣ復号系列に対し、ＴＭＣＣ信号用に予め規定されたＢＣＨ符号の復号処理を施し、ＴＭＣＣ信号を復元して伝送制御情報及び伝送路特性情報フレーム分離部３７ａに出力する。
【００６５】
伝送制御情報及び伝送路特性情報フレーム分離部３７ａは、ＢＣＨ復号部３６ａから出力されたＢＣＨ復号系列として復元されたＴＭＣＣ信号から伝送制御情報を抽出して、信号点系列分離部３３、ＬＬＲ計算部３４ｂ、ＬＤＰＣ復号部３５ｂ、ＢＣＨ復号部３６ｂ、及びフレーム分離部３７ｂに、ゲート信号などの各種制御信号を生成し供給するとともに、必要に応じて伝送制御情報を外部に出力する。また、伝送制御情報及び伝送路特性情報フレーム分離部３７ａは、ＴＭＣＣ信号の拡張情報の領域に埋め込まれた伝送路特性情報の更新制御（詳細は後述する）を行い、更新された伝送路特性情報を伝送路特性情報抽出部３８に出力する。
【００６６】
伝送路特性情報抽出部３８は、伝送制御情報及び伝送路特性情報フレーム分離部３７ａから更新された伝送路特性情報を抽出し、逆特性情報生成部３９に出力する。
【００６７】
逆特性情報生成部３９は、伝送制御情報及び伝送路特性情報フレーム分離部３７ａによって抽出された伝送路特性情報を入力し、ＨＰＡ１ａ、ＩＭＵＸフィルタ２１、ＴＷＴＡ２２、及びＯＭＵＸフィルタ２３のうちいずれか１つ以上の当該伝送路特性情報が示す伝送路歪要素の入出力特性の逆特性を示す情報を伝送路逆特性情報として生成し、等化部３２に出力する。
【００６８】
これにより、等化部３２は、逆特性情報生成部３９から得られる伝送路逆特性情報を基に、直交復調部３１から得られる時分割多重された信号点系列に対し等化処理を行って、信号点系列分離部３３に出力する。
【００６９】
ＬＬＲ計算部３４ｂは、信号点系列分離部３３から出力された、伝送主信号に対応する信号点系列に対し、伝送制御情報及び伝送路特性情報フレーム分離部３７ａから供給される制御信号により指定された変調方式の信号点配置に基づき対数尤度比（ＬＬＲ）系列を計算し、ＬＤＰＣ復号部３５ｂに出力する。
【００７０】
ＬＤＰＣ復号部３５ｂは、ＬＬＲ計算部３４ｂから出力されたＬＬＲ系列に対し、伝送制御情報及び伝送路特性情報フレーム分離部３７ａから供給される制御信号により指定された符号化率でＬＤＰＣ復号処理を施し、ＢＣＨ復号部３６ｂに出力する。
【００７１】
ＢＣＨ復号部３６ｂは、ＬＤＰＣ復号部３５ｂから出力されたＬＤＰＣ復号系列に対し、主信号用に予め規定されたＢＣＨ符号の復号処理を施し、フレーム分離部３７ｂに出力する。尚、異なる訂正能力のＢＣＨ符号をＴＭＣＣ信号により指定する構成としたときは、伝送制御情報及び伝送路特性情報フレーム生成部３７ａから供給される制御信号によりＢＣＨ符号の種別を指定する。
【００７２】
フレーム分離部３７ｂは、ＢＣＨ復号部３６ｂから出力されたＢＣＨ復号系列に対し、伝送制御情報及び伝送路特性情報フレーム生成部３７ａから供給される制御信号に基づき、主信号のストリームを構成する１以上のＴＳ、或いはＴＬＶ等のビット列をそれぞれ外部に出力する。
【００７３】
（伝送路特性情報が埋め込まれたＴＭＣＣ信号）
次に、本発明に係るＴＭＣＣ信号の構成について、図３及び図４を参照して説明する。まず、図３は、本発明に係る高高度広帯域衛星デジタル放送の伝送方式（ＩＳＤＢ−Ｓ３）のＴＭＣＣ信号のビット割当てを示す図である。図３に示すＴＭＣＣ信号は、全９４２２ビットで、変更指示と、１伝送フレーム分の伝送制御情報と、拡張情報から構成される。
【００７４】
「変更指示」は、伝送制御情報の変更があった場合にインクリメントされるカウンタである。例えば以下に示す伝送制御情報の変更があるときに、このカウンタ値を参照することで識別することができる。
【００７５】
「伝送モード／スロット情報」は、伝送モード１〜８への変調方式、符号化率、割り当てスロット数、衛星バックオフ量を指定する情報で構成される。
【００７６】
「ストリーム種別／相対ストリーム情報」は、相対ストリーム０〜１５のストリーム種別（ＴＳ／ＴＬＶ／その他）を指定する情報で構成される。
【００７７】
「パケット形式／相対ストリーム情報」は、相対ストリーム０〜１５それぞれのパケット長、同期パターンビット長、同期パターンを指定する情報で構成される。
【００７８】
「ポインタ／スロット情報」は、各スロット内の先頭パケットの先頭位置と、末尾パケットの末尾位置を指定する情報で構成される。
【００７９】
「相対ストリーム／スロット情報」は、各スロットの相対ストリーム番号を指定する情報で構成される。
【００８０】
「相対ストリーム／伝送ストリームＩＤ対応表情報」は、相対ストリーム番号０〜１５について、伝送ストリームＩＤを指定する情報で構成される。伝送ストリームＩＤは、ストリーム種別がＴＳの場合にＭＰＥＧ−２システムのＴＳ＿ＩＤとなる。
【００８１】
「送受信制御情報」はアップリンク制御などに利用される情報であり、例えばアップリンク設備に変更があるときに利用される。
【００８２】
ＴＭＣＣ信号の最後尾の３６１４ビットは、「拡張情報」として定義される。拡張情報の先頭１６ビットが「拡張識別」であり、後続する３５９８ビットが実際に使用可能な「拡張領域」である。通常、拡張識別は全て“０”でスタッフィングされ、その場合、拡張領域は全て“１”でスタッフィングされて伝送される。拡張領域を使用する場合、拡張識別は、全て“０”とする以外の値とすることが規定されている（高度広帯域衛星デジタル放送の伝送方式（ＩＳＤＢ−Ｓ３）における現行の標準規格（ＡＲＩＢ ＳＴＤ−Ｂ４４  ２．１版）参照）。
【００８３】
そこで、送信装置１は、伝送制御情報及び伝送路特性情報フレーム生成部１１ａ及び伝送路特性情報発生部１５により、伝送路特性情報をＴＭＣＣ信号の拡張情報の領域に埋め込み、拡張識別は全て“０”とする以外の値を用いて、受信装置３側で識別させるように伝送する。
【００８４】
ただし、現在、基準時刻情報（例えば、特開２０１５−２１６６１６号公報参照）が拡張用途の１つとして検討されており、その拡張識別として、基準時刻情報を拡張領域に使用する識別値が割り当てられることになる。
【００８５】
このため、本発明に係る伝送路特性情報の伝送では、基準時刻情報などの他の用途で用いる識別値とは異なる値を用いて、伝送路特性情報をＴＭＣＣ信号の拡張情報の領域に埋め込んでいる旨を示すようにする。
【００８６】
本例では、地上放送局内の大電力増幅器（ＨＰＡ）１ａ、及び衛星中継器２内のＩＭＵＸフィルタ２１、ＴＷＴＡ２２、及びＯＭＵＸフィルタ２３を伝送路歪要素とし、それぞれの伝送路歪要素の入出力特性を伝送路特性詳細情報として個別に示すものとしている。より具体的には、伝送路歪要素の入出力特性として、ＴＷＴＡのＡＭ‐ＡＭ特性及びＡＭ‐ＰＭ特性、ＩＭＵＸフィルタ及びＯＭＵＸフィルタの周波数‐振幅特性及び周波数‐群遅延特性、並びに、地上放送局内における大電力増幅器（ＨＰＡ）のＡＭ‐ＡＭ特性及びＡＭ‐ＰＭ特性を、伝送路特性詳細情報の対象としている。
【００８７】
ところで、送信装置１側で伝送路特性情報をＴＭＣＣ信号の拡張情報の領域に埋め込むにあたって、受信装置３側で、伝送路特性情報がＴＭＣＣ信号に埋め込まれているか否か、ＴＭＣＣ信号に埋め込まれている伝送路特性情報として、いずれの伝送路歪要素の入出力特性が更新されて埋め込まれているか、複数フレームに亘って伝送路特性情報が埋め込まれているか否か、を識別できるようにするのが好適である。
【００８８】
このため、図４（ａ）,（ｂ）,（ｃ）にそれぞれ例示するような方法で、伝送路特性情報をＴＭＣＣ信号の拡張情報（拡張識別及び拡張領域）を用いて伝送することができる。
【００８９】
（拡張情報詳細例１）
まず、図４（ａ）に示す拡張情報詳細例１は、３６１４ビットの拡張情報について、「拡張識別」、「特性更新識別」、「特性領域」、及び「伝送路特性詳細情報」の４区分したビット列で伝送路特性情報の伝送を構成した例である。
【００９０】
図４（ａ）に示す「拡張識別」には、伝送路上の予め定めた複数の対象機器、即ちＨＰＡ１ａ、ＩＭＵＸフィルタ２１、ＴＷＴＡ２２、及びＯＭＵＸフィルタ２３を伝送路歪要素としたその各入出力特性の情報を伝送路特性詳細情報として位置付け、その伝送路特性詳細情報をＴＭＣＣ信号の拡張領域内に格納している旨、及び、更新対象のＨＰＡ１ａ、ＩＭＵＸフィルタ２１、ＴＷＴＡ２２、及びＯＭＵＸフィルタ２３のうちいずれを本フレームのＴＭＣＣ信号に埋め込んでいるかを示す識別値を伝送時に設定する。これにより、受信装置３側では、伝送路特性情報がＴＭＣＣ信号に埋め込まれているか否か、ＴＭＣＣ信号に埋め込まれている伝送路特性情報として、いずれの伝送路歪要素の入出力特性が更新されて埋め込まれているか、を識別できる。
【００９１】
図４（ａ）に示す「特性更新識別」には、伝送時に設定した更新対象の伝送路歪要素（ＨＰＡ１ａ、ＩＭＵＸフィルタ２１、ＴＷＴＡ２２、及びＯＭＵＸフィルタ２３のうちいずれか１つ）の伝送路特性詳細情報の更新バージョンを示す識別値を設定する。これにより、受信装置３側では、更新されて埋め込まれている伝送路歪要素の入出力特性を既に受信済みであるか否かを識別できる。例えば、本例では３ビットの「特性更新識別」の初期値を“０００”とし、送信装置１側では、更新する度に１ずつインクリメントした値を設定する。これにより、受信装置３は、ＴＭＣＣ信号を受信して伝送路特性情報がＴＭＣＣ信号に埋め込まれていると識別した際に、「特性更新識別」の値を前回値と比較することで、既に受信済みであるか、或いは改めて抽出する必要があるかを瞬時に識別できる。
【００９２】
図４（ａ）に示す「特性領域」には、当該更新対象の伝送路歪要素に関する伝送路特性詳細情報を複数フレームに亘って分割して伝送する際に、分割した現フレームの番号を示す識別値を設定する。ここで、ＨＰＡ１ａ、ＩＭＵＸフィルタ２１、ＴＷＴＡ２２、及びＯＭＵＸフィルタ２３の各伝送路歪要素に対し送信装置１側で指定可能なフレーム分割数とすることができるため、受信装置３は、複数フレームに亘って伝送路特性情報が埋め込まれているか否か、及び伝送路歪要素毎に現フレームの番号から受信すべき残りの分割情報を識別することができ、抽出すべき伝送路特性詳細情報を把握することができる。
【００９３】
図４（ａ）に示す「伝送路特性詳細情報」には、当該更新対象の伝送路歪要素とした複数の対象機器（即ちＨＰＡ１ａ、ＩＭＵＸフィルタ２１、ＴＷＴＡ２２、及びＯＭＵＸフィルタ２３）の各特性を受信側で模擬可能とするよう近似したそれぞれの入出力特性を示す情報を設定する。特に、図４（ａ）に示す「伝送路特性詳細情報」では、上記の拡張識別に対応する対象機器のいずれかの入出力特性の情報を、上記の特性領域に従う指定領域情報（詳細は図８を参照して後述する）で設定する。これにより、受信装置３は、伝送路歪要素のいずれかの入出力特性の情報（伝送路特性詳細情報）が複数フレームに亘って伝送される場合でも、更新すべき伝送路特性情報として抽出することができる。
【００９４】
（拡張情報詳細例２）
次に、図４（ｂ）に示す拡張情報詳細例２は、３６１４ビットの拡張情報について、「拡張識別」、及び「伝送路特性詳細情報」の２区分したビット列で伝送路特性情報の伝送を構成した例である。伝送路特性情報の更新は頻繁に行う性質のものでもないことから、更新対象の伝送路歪要素がＨＰＡ１ａ、ＩＭＵＸフィルタ２１、ＴＷＴＡ２２、及びＯＭＵＸフィルタ２３のうちいずれであるか、及びその入出力特性の情報を１フレームに納まる範囲内で、或る一定期間、伝送することを想定した例である。
【００９５】
図４（ｂ）に示す「拡張識別」では、伝送路上の予め定めた複数の対象機器、即ちＨＰＡ１ａ、ＩＭＵＸフィルタ２１、ＴＷＴＡ２２、及びＯＭＵＸフィルタ２３を伝送路歪要素としたその各入出力特性の情報を伝送路特性詳細情報として位置付け、この「拡張識別」に、更新を要する最新の伝送路特性詳細情報がＴＭＣＣ信号の拡張領域内に格納されている旨を示す識別値を伝送時に設定する。これにより、受信装置３側では、更新を要する最新の伝送路特性情報がＴＭＣＣ信号に埋め込まれているか否かを識別できる。
【００９６】
図４（ｂ）に示す「伝送路特性詳細情報」には、図４（ａ）に示す例と同様に、当該更新対象の伝送路歪要素とした複数の対象機器（即ちＨＰＡ１ａ、ＩＭＵＸフィルタ２１、ＴＷＴＡ２２、及びＯＭＵＸフィルタ２３）の各特性を受信側で模擬可能とするよう近似したそれぞれの入出力特性を示す情報を設定する。具体的には、１フレームで収まる範囲の分解能で設定するか、或いは非線形領域を示す範囲（予め判別可能）のみの情報を設定する。これにより、受信装置３は、更新すべき伝送路歪要素の各入出力特性の情報（伝送路特性詳細情報）を抽出することができる。この場合、複数フレームに亘って伝送路特性情報が埋め込まれていることがないため、受信側でフレーム判別することは不要である。
【００９７】
（拡張情報詳細例３）
次に、図４（ｃ）に示す拡張情報詳細例２は、３６１４ビットの拡張情報について、「拡張識別」、「特性領域」、及び「伝送路特性詳細情報」の３区分したビット列で伝送路特性情報の伝送を構成した例である。伝送路特性情報の更新は頻繁に行う性質のものでもないことから、この拡張情報詳細例２は、更新対象の伝送路歪要素がＨＰＡ１ａ、ＩＭＵＸフィルタ２１、ＴＷＴＡ２２、及びＯＭＵＸフィルタ２３のうちいずれであるか、及びその入出力特性の情報を複数フレームに亘って伝送することもあることを許容し、或る一定期間、伝送することを想定した例である。
【００９８】
図４（ｃ）に示す「拡張識別」では、伝送路上の予め定めた複数の対象機器、即ちＨＰＡ１ａ、ＩＭＵＸフィルタ２１、ＴＷＴＡ２２、及びＯＭＵＸフィルタ２３を伝送路歪要素としたその各入出力特性の情報を伝送路特性詳細情報として位置付け、この「拡張識別」には、更新を要する最新の伝送路特性詳細情報がＴＭＣＣ信号の拡張領域内に格納されている旨を示す識別値を伝送時に設定する。これにより、受信装置３側では、更新を要する最新の伝送路特性情報がＴＭＣＣ信号に埋め込まれているか否かを識別できる。
【００９９】
図４（ｃ）に示す「特性領域」には、更新を要する最新の伝送路特性詳細情報がＨＰＡ１ａ、ＩＭＵＸフィルタ２１、ＴＷＴＡ２２、及びＯＭＵＸフィルタ２３のいずれについての情報であるかを識別可能にし、且つ複数フレームに亘って伝送する際に、分割した現フレームの番号を示す識別値を設定する。ここで、ＨＰＡ１ａ、ＩＭＵＸフィルタ２１、ＴＷＴＡ２２、及びＯＭＵＸフィルタ２３の各伝送路歪要素に対し送信装置１側で指定可能なフレーム分割数とすることができるため、受信装置３は、複数フレームに亘って伝送路特性情報が埋め込まれているか否か、及び伝送路歪要素毎に現フレームの番号から受信すべき残りの分割情報を識別することができ、抽出すべき伝送路特性詳細情報を把握することができる。
【０１００】
図４（ｃ）に示す「伝送路特性詳細情報」には、図４（ａ）に示す例と同様に、上記の拡張識別に対応する対象機器のいずれかの入出力特性の情報を、上記の特性領域に従う指定領域情報（詳細は図８を参照して後述する）で設定する。これにより、受信装置３は、更新を要する最新の伝送路歪要素のいずれかの入出力特性の情報（伝送路特性詳細情報）が複数フレームに亘って伝送される場合でも、更新すべき伝送路特性情報として抽出することができる。
【０１０１】
以下の説明では、図４（ｂ），（ｃ）に例示する他の拡張情報内の詳細構造への応用が容易に理解される図４（ａ）に示す拡張情報詳細例１を基に、送信装置１における伝送制御情報及び伝送路特性情報フレーム生成部１１ａ、及び受信装置３における伝送制御情報及び伝送路特性情報フレーム分離部３７ａを構成した例を説明する。
【０１０２】
（伝送制御情報及び伝送路特性情報フレーム生成部の詳細構造）
図５には、送信装置１における伝送制御情報及び伝送路特性情報フレーム生成部１１ａにおける詳細ブロック図を示している。伝送制御情報及び伝送路特性情報フレーム生成部１１ａに入力される信号は、図２に示したように、伝送制御情報及び伝送路特性情報である。
【０１０３】
伝送制御情報及び伝送路特性情報フレーム生成部１１ａは、制御信号生成部１１１ａと、ＴＭＣＣ信号の送信用レジスタ１１２ａとを備えている。
【０１０４】
制御信号生成部１１１ａは、図２を参照して上述したように、入力される伝送制御情報を基に制御信号を生成し、制御対象となる各機能部へ出力して制御する。
【０１０５】
ＴＭＣＣ信号の送信用レジスタ１１２ａは、図３に示した伝送制御情報と拡張情報の領域で区分されたそれぞれのレジスタを有し、特に、拡張情報の領域は、図４（ａ）に示したように、「拡張識別」と、拡張領域（「特性更新識別」、「特性領域」、及び「伝送路特性詳細情報」）の４区分のレジスタ構造を有している。
【０１０６】
ＴＭＣＣ信号の送信用レジスタ１１２ａは、入力される伝送制御情報の変更があった場合にインクリメントされるカウンタ値を示す変更指示に続いて、当該入力される伝送制御情報として伝送モード／スロット情報から送受信制御情報までの情報（図３参照）を当該送信用レジスタ１１２ａ内の伝送制御情報の領域に書き込み、当該送信用レジスタ１１２ａ内の拡張情報の領域には、伝送路特性情報発生部１５から入力される伝送路特性情報（「拡張識別」、「特性更新識別」、「特性領域」、及び「伝送路特性詳細情報」）が書き込まれる。拡張識別には“００００００００００００００００”以外、且つ基準時刻情報などの他の用途で用いる識別値とは異なる値（例えば、“００００００００００００００１０”）を設定することで、伝送路特性情報の伝送にＴＭＣＣ信号の拡張情報の領域が利用可能となる。
【０１０７】
そして、ＴＭＣＣ信号の送信用レジスタ１１２ａによってＴＭＣＣ信号が形成されてＢＣＨ符号化部１２ａに出力される（図２参照）。
【０１０８】
（伝送制御情報及び伝送路特性情報フレーム分離部の詳細構造）
図６には、受信装置３における伝送制御情報及び伝送路特性情報フレーム分離部３７ａの詳細ブロック図を示している。伝送制御情報及び伝送路特性情報フレーム分離部３７ａに入力される信号は、図２に示したように、ＢＣＨ復号部３６ａから入力されるＢＣＨ復号系列として復元されたＴＭＣＣ信号である。
【０１０９】
伝送制御情報及び伝送路特性情報フレーム分離部３７ａは、制御信号生成部３７１ａと、ＴＭＣＣ信号の受信用レジスタ３７２ａと、伝送路特性情報の更新用レジスタ３７３ａと、更新制御部３７４ａと、を備えている。
【０１１０】
ＴＭＣＣ信号の受信用レジスタ３７２ａは、ＢＣＨ復号部３６ａから得られるＴＭＣＣ信号を受信する度に上書きして一時蓄積する機能部であり、伝送制御情報と拡張情報の領域で区分され、特に、拡張情報の領域は、図４（ａ）に示したように、「拡張識別」と、拡張領域（「特性更新識別」、「特性領域」、及び「伝送路特性詳細情報」）の４区分のレジスタ構造を有している。
【０１１１】
そして、ＴＭＣＣ信号の受信用レジスタ３７２ａは、一時蓄積した図３に示す変更指示に続いて伝送モード／スロット情報から送受信制御情報までの情報を、伝送制御情報として必要に応じて外部に出力するとともに制御信号生成部３７１ａに出力する。
【０１１２】
制御信号生成部３７１ａは、図２を参照して上述したように、入力される伝送制御情報を基に制御信号を生成し、制御対象となる各機能部へ、この制御信号を出力して制御する。
【０１１３】
伝送路特性情報の更新用レジスタ３７３ａは、伝送路歪要素毎（即ちＨＰＡ１ａ、ＩＭＵＸフィルタ２１、ＴＷＴＡ２２、及びＯＭＵＸフィルタ２３毎）の各特性を受信側で模擬可能とするよう近似したそれぞれの入出力特性の情報を完全な特性テーブルとした、受信装置３にとって最新の伝送路特性情報を保持している。具体的には、更新用レジスタ３７３ａは、「拡張識別」と、拡張領域（「特性更新識別」、「特性領域」、及び「伝送路特性詳細情報」）の情報として、受信したＴＭＣＣ信号内の伝送路特性情報と照合可能とするレジスタ構造を有している。
【０１１４】
更新制御部３７４ａは、ＴＭＣＣ信号の受信用レジスタ３７２ａに一時蓄積された「拡張識別」と、拡張領域（「特性更新識別」、「特性領域」、及び「伝送路特性詳細情報」）の情報を抽出し、伝送路特性情報の更新用レジスタ３７３ａに格納されている「拡張識別」と、拡張領域（「特性更新識別」、「特性領域」、及び「伝送路特性詳細情報」）の情報と照合して更新するとともに、フレーム分割されて伝送された伝送路特性詳細情報を結合して伝送路特性情報を完全に復元して更新する。
【０１１５】
そして、更新制御部３７４ａは、伝送路特性情報の更新用レジスタ３７３ａにおける伝送路特性情報が更新された際に、或いは図２に示す伝送路特性情報抽出部３８からの定期的な要求に応じて、当該更新された伝送路特性情報を伝送路特性情報抽出部３８に出力する。
【０１１６】
以下、図５に係るＴＭＣＣ信号の送信用レジスタ１１２ａの設定動作と、図６に係る伝送路特性情報の更新用レジスタ３７３ａに対する更新制御部３７４ａの更新制御動作について、より具体的に説明する。
【０１１７】
（ＴＭＣＣ信号の送信用レジスタの設定動作）
図７は、本発明に係るＴＭＣＣ信号の送信用レジスタ１１２ａの設定動作によって構成した図４（ａ）に対応する一実施例のＴＭＣＣ信号内の拡張領域のフレーム構成を例示する図である。尚、図７に示す伝送路特性情報のフレーム構成に対応する図４（ａ）に示す「拡張識別」には、図８に示す本発明に係る一実施例の伝送路特性情報の一例（ＴＷＴＡ２２）のＡＭ‐ＡＭ特性（ＡＭ／ＡＭ）及びＡＭ‐ＰＭ特性（ＡＭ／ＰＭ）について伝送する旨が識別値として設定されているものとする。
【０１１８】
図４（ａ）に示す「特性更新識別」によって、受信装置３は、伝送路特性情報を更新するタイミングを知ることができる。本例では「特性更新識別」の初期値を３ビット“０００”とし、内容を更新する度に、カウンタ値として１ビットずつインクリメントされる。尚、「特性更新識別」の値が“１１１”より多くなった場合は、“００１”に戻される。伝送路特性詳細情報の容量が１フレームあたり３５８５ビットを超えるものは、各伝送路歪要素毎の伝送路特性詳細情報の容量に応じて、複数のフレームに分けて伝送することができる。尚、受信装置３は、「特性領域」の設定値で複数のフレームに亘って伝送される伝送路特性詳細情報であるか否かを知ることができる。
【０１１９】
図７に示す例では、図８に示すＴＷＴＡ２２の入出力特性（ＡＭ‐ＡＭ特性及びＡＭ‐ＰＭ特性）を伝送路特性詳細情報として４フレームで更新・伝送するときの例であり、ここでは、フレーム番号１〜４として示している。
【０１２０】
まず、ＴＭＣＣ信号の送信用レジスタ１１２ａにおける「特性更新識別」の値への設定にあたり、当該伝送路特性情報を初めて更新・伝送するものとして、フレーム番号１〜４のＴＭＣＣ信号のいずれに対しても「特性更新識別」の値として、初期値から１ビット増えた００１としている。
【０１２１】
まず、図８に示す入力値が−２５〜−１５ｄＢまでのＡＭ‐ＡＭ特性及びＡＭ‐ＰＭ特性の情報を、図７に示す最初の伝送となるフレーム番号１の「伝送路特性詳細情報」に設定する。このときの情報を特性領域１と定義し、図７に示すフレーム番号１の「特性領域」に００００００００００を設定する。
【０１２２】
次に、図８に示す入力値が−１５〜−５ｄＢまでのＡＭ‐ＡＭ特性及びＡＭ‐ＰＭ特性の情報を、図７に示す次の伝送となるフレーム番号２の「伝送路特性詳細情報」に設定する。このときの情報を特性領域２と定義し、図７に示すフレーム番号２の「特性領域」に０００００００００１を設定する。
【０１２３】
次に、図８に示す入力値が−５〜５ｄＢまでのＡＭ‐ＡＭ特性及びＡＭ‐ＰＭ特性の情報を、図７に示す更に次の伝送となるフレーム番号３の「伝送路特性詳細情報」に設定する。このときの情報を特性領域３と定義し、図７に示すフレーム番号３の「特性領域」に００００００００１０を設定する。
【０１２４】
最後に、全て“１”を、図７に示す最後の伝送となるフレーム番号４の「伝送路特性詳細情報」に設定することで、フレーム分割した伝送路特性詳細情報はフレーム番号１〜３までで終了していることを示す。このとき、図７に示すフレーム番号４の「特性領域」に００００００００１１を設定する。
【０１２５】
そして、ＴＭＣＣ信号の送信用レジスタ１１２ａは、ＴＷＴＡ２２の伝送路特性情報を含んでいることを示す「拡張識別」の設定値と、図７に示すフレーム番号毎の拡張領域の設定値とを含むＴＭＣＣ信号を構成し、当該フレーム番号１〜４のそれぞれの伝送路特性情報を１組として、一定期間、或いは常時、ＴＭＣＣ信号に埋め込んで繰り返し出力する。
【０１２６】
このように、当該入出力特性全体の伝送路特性詳細情報を複数フレームに亘って分割して伝送するとき、図４（ａ）及び図７に示す例では、１０ビットで「特性領域」の設定値を許容している。このため、１フレームあたり３５８５ビット（分割した伝送路特性詳細情報）×１０２４回（特性領域で示される最大分割数）＝３．６７１０４Ｍビットまで、当該入出力特性全体の伝送路特性詳細情報を伝送可能となる。特に、特許文献３に開示されるように推定した伝送路特性情報を伝送するのに利用することで、受信装置３における歪補償の精度が向上することで、より伝送性能を改善できる。
【０１２７】
また、図８に示すようなＴＷＴＡ２２以外の伝送路歪要素であるＨＰＡ１ａ、ＩＭＵＸフィルタ２１、及びＯＭＵＸフィルタ２３についても、上記と同様に伝送することで、より一層、受信装置３における歪補償の精度を向上させ、より伝送性能を改善させることができる。
【０１２８】
尚、ＨＰＡ１ａ、ＩＭＵＸフィルタ２１、ＴＷＴＡ２２及びＯＭＵＸフィルタ２３のそれぞれに関する伝送路特性情報をＴＭＣＣ信号内に埋め込んで伝送する際には、順序不同、且つ選択的に伝送することが可能であるが、ＨＰＡ１ａ、ＩＭＵＸフィルタ２１、ＴＷＴＡ２２及びＯＭＵＸフィルタ２３の順番、或いはこの逆の順番で伝送することで、受信装置３における処理順との対応付けが容易になる（詳細は後述する）。
【０１２９】
（更新制御部の更新制御動作）
次に、図９を参照して、図６に係る伝送路特性情報の更新用レジスタ３７３ａに対する更新制御部３７４ａの更新制御動作の一例について説明する。図９は、本発明による一実施形態の受信装置３における更新制御部３７４ａによる伝送路特性情報の更新制御動作の一例を示すフローチャートである。ここで、図６に示すＴＭＣＣ信号の受信用レジスタ３７２ａには、図７に示すフレーム番号１の伝送路特性情報を含むＴＭＣＣ信号が受信された場合を想定して説明する。
【０１３０】
まず、更新制御部３７４ａは、受信したＴＭＣＣ信号内の拡張識別の照合を行い、フレーム番号１の受信した拡張情報が伝送路特性情報であることを確認するとともに、更新対象となる特性（ＨＰＡ１ａ／ＩＭＵＸフィルタ２１／ＴＷＴＡ２２／ＯＭＵＸフィルタ２３）のうち、本例ではＴＷＴＡ２２に関する伝送路特性情報であることを確認する（ステップＳ１）。
【０１３１】
次に、更新制御部３７４ａは、当該受信したフレーム番号１の特性更新識別の値Ｄａと、更新用レジスタ３７３ａ内の特性更新識別の値Ｄｂとを照合を行う（ステップＳ２）。尚、更新用レジスタ３７３ａ内の特性更新識別の初期値は０００とする。また、ＴＭＣＣ信号内の特性更新識別の初期値Ｄｂは“０００”であるが、今回受信した図６に示すＴＭＣＣ信号の受信用レジスタ３７２ａにおける特性更新識別の値Ｄａは、００１となっている。
【０１３２】
そこで、更新制御部３７４ａは、Ｄａ＝Ｄｂを満たしていないため、当該受信したフレーム番号１の拡張情報内には、ＴＷＴＡ２２に関する更新すべき伝送路特性詳細情報が埋め込まれているとして判定し、その更新処理を開始する。尚、ステップＳ２にてＤａ＝Ｄｂを満たしているとき、更新制御部３７４ａはすべに受信して更新済であると判定することができる。
【０１３３】
次に、更新制御部３７４ａは、ＴＷＴＡ２２に関する伝送路特性詳細情報の更新処理を開始するため、当該受信したＴＭＣＣ信号内の拡張情報における特性領域の値Ｄｃと、更新用レジスタ３７３ａ内の特性領域の値Ｄｄとを照合を行う（ステップＳ３）。
【０１３４】
ここで、更新用レジスタ３７３ａ内の特性領域の初期値Ｄｄは０００００００００００とする。当該受信したフレーム番号１の特性領域の値Ｄｃも０００００００００００であるため、Ｄｃ＝Ｄｄを満たしていると判定し、伝送路特性詳細情報の照合の開始に移行する。尚、Ｄｃ＝Ｄｄを満たしていないときは、そのまま待機し、Ｄｃ＝Ｄｄとなる信号を送信側で送り始めるまで更新を待つ。
【０１３５】
次に、更新制御部３７４ａは、Ｄａ＝Ｄｂを満たしていると判定して受信した伝送路特性詳細情報を用いて、更新用レジスタ３７３ａ内の伝送路特性詳細情報の更新動作を開始する（ステップＳ４）。
【０１３６】
このとき、更新制御部３７４ａは、受信した伝送路特性詳細情報の値が全て１ではないことを確認し、更新用レジスタ３７３ａ内の伝送路特性詳細情報における図８の特性領域１に対応する入出力特性（ＡＭ‐ＡＭ特性及びＡＭ‐ＰＭ特性）の特性テーブルの作成を開始することになり、更新用レジスタ３７３ａ内で、ＴＷＴＡ２２に関する拡張識別に対し特性更新識別の値Ｄｂを０００としたまま、特性領域１に対応する特性テーブルの値を「伝送路特性詳細情報」の領域に更新保持するとともに、更新用レジスタ３７３ａ内の「特性領域」の値Ｄｄに１ビット加算する（ステップＳ５）。
【０１３７】
続いて、更新制御部３７４ａは、ステップＳ１に移行し、次に受信したＴＭＣＣ信号内の拡張識別の照合を行い、フレーム番号２の受信した拡張情報が伝送路特性情報であることを確認するとともに、更新対象となる特性（ＨＰＡ１ａ／ＩＭＵＸフィルタ２１／ＴＷＴＡ２２／ＯＭＵＸフィルタ２３）のうち、本例ではＴＷＴＡ２２に関する伝送路特性情報であることを確認する（ステップＳ１）。
【０１３８】
以後、更新制御部３７４ａは、フレーム番号１の伝送路特性情報の受信時と同様に、ステップＳ２〜Ｓ４に係る処理を行い、受信したフレーム番号２の伝送路特性詳細情報の更新を引き続き行う。
【０１３９】
つまり、受信したフレーム番号２の特性領域の値Ｄｃは００００００００００１であり、更新用レジスタ３７３ａ内の「特性領域」の値Ｄｄも００００００００００１であり同値であるため、図８の特性領域１＋特性領域２に対応する入出力特性（ＡＭ‐ＡＭ特性及びＡＭ‐ＰＭ特性）の特性テーブルの作成を開始し、この特性テーブルの作成後、更新用レジスタ３７３ａ内で、ＴＷＴＡ２２に関する拡張識別に対し特性更新識別の値Ｄｂを０００としたまま、特性領域１＋特性領域２に対応する特性テーブルの値を「伝送路特性詳細情報」の領域に更新保持するとともに、更新用レジスタ３７３ａ内の「特性領域」の値Ｄｄに１ビット加算する（ステップＳ５）。
【０１４０】
続いて、更新制御部３７４ａは、ステップＳ１に移行し、次に受信したＴＭＣＣ信号内の拡張識別の照合を行い、フレーム番号３の受信した拡張情報が伝送路特性情報であることを確認するとともに、更新対象となる特性（ＨＰＡ１ａ／ＩＭＵＸフィルタ２１／ＴＷＴＡ２２／ＯＭＵＸフィルタ２３）のうち、本例ではＴＷＴＡ２２に関する伝送路特性情報であることを確認する（ステップＳ１）。
【０１４１】
以後、更新制御部３７４ａは、フレーム番号１，２の伝送路特性情報の受信時と同様に、ステップＳ２〜Ｓ４に係る処理を行い、受信したフレーム番号３の伝送路特性詳細情報の更新を引き続き行う。
【０１４２】
つまり、受信したフレーム番号３の特性領域の値Ｄｃは０００００００００１０であり、更新用レジスタ３７３ａ内の「特性領域」の値Ｄｄも０００００００００１０であり同値であるため、図８の特性領域１＋特性領域２＋特性領域３に対応する入出力特性（ＡＭ‐ＡＭ特性及びＡＭ‐ＰＭ特性）の特性テーブルの作成を開始し、この特性テーブルの作成後、更新用レジスタ３７３ａ内で、ＴＷＴＡ２２に関する拡張識別に対し特性更新識別の値Ｄｂを０００としたまま、特性領域１＋特性領域２＋特性領域３に対応する特性テーブルの値を「伝送路特性詳細情報」の領域に更新保持するとともに、更新用レジスタ３７３ａ内の「特性領域」の値Ｄｄに１ビット加算する（ステップＳ５）。
【０１４３】
続いて、更新制御部３７４ａは、ステップＳ１に移行し、次に受信したＴＭＣＣ信号内の拡張識別の照合を行い、フレーム番号４の受信した拡張情報が伝送路特性情報であることを確認するとともに、更新対象となる特性（ＨＰＡ１ａ／ＩＭＵＸフィルタ２１／ＴＷＴＡ２２／ＯＭＵＸフィルタ２３）のうち、本例ではＴＷＴＡ２２に関する伝送路特性情報であることを確認する（ステップＳ１）。
【０１４４】
以後、更新制御部３７４ａは、フレーム番号１，２，３の伝送路特性情報の受信時と同様に、ステップＳ２〜Ｓ４に係る処理を行い、受信したフレーム番号４の伝送路特性詳細情報の更新を引き続き行うよう更新動作の開始を行うが、このステップＳ４にて、受信したフレーム番号４の伝送路特性詳細情報の値が全て１であることから、上記フレーム番号１，２，３の伝送路特性情報の受信で、当該ＴＷＴＡ２２に関する伝送路特性詳細情報の特性テーブルの作成が終了したと判定する（ステップＳ６）。
【０１４５】
即ち、更新制御部３７４ａは、図８の特性領域１＋特性領域２＋特性領域３に対応する入出力特性（ＡＭ‐ＡＭ特性及びＡＭ‐ＰＭ特性）の特性テーブルの作成が終了したと認識して、更新用レジスタ３７３ａにおける伝送路特性情報が完全に更新されたと判定し、続いて当該更新された伝送路特性情報を図２に示す伝送路特性情報抽出部３８に出力する。尚、更新制御部３７４ａは、伝送路特性情報抽出部３８からの定期的な要求に応じて、当該更新された伝送路特性情報を送信する構成としてもよい。
【０１４６】
そして、更新制御部３７４ａは、更新用レジスタ３７３ａにおける伝送路特性情報の更新し伝送路特性情報抽出部３８に出力した後、更新用レジスタ３７３ａ内の特性領域の値Ｄｄを０００００００００００に初期化し、更新用レジスタ３７３ａ内の特性更新識別の値Ｄｂを、受信した特性更新識別の値Ｄａ（本例では００１）に変更する。以後、ＴＭＣＣ信号の受信用レジスタ３７２ａには、フレーム番号１〜４の伝送路特性情報を含むＴＭＣＣ信号が繰り返し受信されて上書きされるが、更新制御部３７４ａは、以後に受信した特性更新識別の値Ｄａが、更新用レジスタ３７３ａ内の特性更新識別の値Ｄｂと同値になるため、更新用レジスタ３７３ａ内の伝送路特性詳細情報が最新であると認識し、Ｄｂに対しＤａが異値となるまで、以降の更新処理を行う必要が無い（ステップＳ２）。
【０１４７】
尚、更新用レジスタ３７３ａ内の伝送路特性詳細情報の保持期間について、所定期間を設けて、その所定期間を過ぎたときには更新用レジスタ３７３ａ内の特性更新識別の値Ｄｂを０００に初期化する仕様とすれば、所定期間単位で伝送路特性詳細情報のデータ更新を行うことも可能である。
【０１４８】
このようにして、図２に示す伝送路特性情報抽出部３８は、伝送制御情報及び伝送路特性情報フレーム分離部３７ａから更新された伝送路特性情報を抽出して逆特性情報生成部３９に出力することができる。
【０１４９】
そして、図２に示す逆特性情報生成部３９は、伝送制御情報及び伝送路特性情報フレーム分離部３７ａによって抽出された伝送路特性情報を入力し、伝送路特性情報内の伝送路歪要素の各入出力特性の逆特性を示す情報を伝送路逆特性情報として生成し、等化部３２に出力する。
【０１５０】
尚、逆特性情報生成部３９は、地上放送局内の大電力増幅器（ＨＰＡ）１ａ、及び衛星中継器２内のＩＭＵＸフィルタ２１、ＴＷＴＡ２２、及びＯＭＵＸフィルタ２３を伝送路歪要素とし、それぞれＴＭＣＣ信号によって伝送された当該伝送路歪要素の各入出力特性の逆特性の情報を伝送路逆特性情報として生成する。
【０１５１】
図１０には、本発明に係る一実施例の伝送路特性情報の一例（ＴＷＴＡ２１）のＡＭ‐ＡＭ特性（ＡＭ／ＡＭ）及びＡＭ‐ＰＭ特性（ＡＭ／ＰＭ）の逆特性を示している。尚、図１０では、ＡＭ‐ＡＭ特性（ＡＭ／ＡＭ）は線形特性とし、ＡＭ‐ＰＭ特性（ＡＭ／ＰＭ）は正負符号の反転した逆特性を生成した例を示している。
【０１５２】
等化部３２は、図１１（ａ）に示す実施例１のように、ＯＭＵＸ逆特性等化部３２１、ＴＷＴＡ逆特性等化部３２２、ＩＭＵＸ逆特性等化部３２３、及びＨＰＡ逆特性等化部３２４を備える。ＯＭＵＸ逆特性等化部３２１、ＴＷＴＡ逆特性等化部３２２、ＩＭＵＸ逆特性等化部３２３、及びＨＰＡ逆特性等化部３２４は、それぞれＨＰＡ１ａ、ＩＭＵＸフィルタ２１、ＴＷＴＡ２２、及びＯＭＵＸフィルタ２３を伝送路歪要素とし、各伝送路歪要素の各入出力特性の逆特性を示す伝送路逆特性情報を用いて等化処理を行う。
【０１５３】
ただし、受信装置３によっては、等化部３２は、図１１（ｂ）に示す実施例２のように、上記の伝送路歪要素のうちＴＷＴＡ２２に関する等化処理を行うＴＷＴＡ逆特性等化部３２２と、ＨＰＡ１ａに関する等化処理を行うＨＰＡ逆特性等化部３２４のみを備える構成としてもよい。この場合、伝送制御情報及び伝送路特性情報フレーム分離部３７ａ及び伝送路特性情報抽出部３８における、ＩＭＵＸフィルタ２１及びＯＭＵＸフィルタ２３に関する伝送路特性情報の抽出は不要である。
【０１５４】
また、受信装置３によっては、等化部３２は、図１１（ｃ）に示す実施例３のように、上記の伝送路歪要素のうちＴＷＴＡ２２に関する等化処理を行うＴＷＴＡ逆特性等化部３２２のみを備える構成としてもよい。この場合、伝送制御情報及び伝送路特性情報フレーム分離部３７ａ及び伝送路特性情報抽出部３８における、ＨＰＡ１ａ、ＩＭＵＸフィルタ２１及びＯＭＵＸフィルタ２３に関する伝送路特性情報の抽出は不要である。
【０１５５】
即ち、本発明に係る送信装置１によるＴＭＣＣ信号を用いた伝送路歪要素毎の伝送路特性情報の伝送は、多様な受信装置３に対し適応的に対応させることができる。
【０１５６】
従って、本発明の送信装置１において、事前に測定された当該伝送路歪要素となる電力増幅器のＡＭ‐ＡＭ特性及びＡＭ‐ＰＭ特性あるいは、フィルタの周波数‐振幅特性及び周波数‐群遅延特性の情報を当該伝送路特性情報としてＴＭＣＣ信号の拡張情報に埋め込むことで、歪補償性能を向上させることができる。
【０１５７】
特に、特許文献３に開示されるように、当該変調波信号又は当該伝送路を介して変換された放送波信号の解析により事前に推定された、伝送路歪要素となる電力増幅器のＡＭ‐ＡＭ特性及びＡＭ‐ＰＭ特性あるいは、フィルタの周波数‐振幅特性及び周波数‐群遅延特性の情報を当該伝送路特性情報としてＴＭＣＣ信号の拡張情報に埋め込むことで、リアルタイム性（即応性）の向上、及びインフラ設備のコスト低下を図ることができる。
【０１５８】
シミュレーションにより、衛星中継器の出力バックオフ（ＯＢＯ）を２．２ｄＢに固定し、受信装置が、衛星伝送路通過後に伝送路歪の影響を受けた３２ＡＰＳＫ信号を受信したとき、伝送路特性情報を利用した歪補償の有無について計算した所要Ｃ／Ｎ値を比較すると、歪補償なしの所要Ｃ／Ｎが１７．３５ｄＢとなり、歪補償あり（図６の逆特性使用)のときの所要Ｃ／Ｎが１５．９９ｄＢとなり、非特許文献１で示される単にＴＷＴＡ２２の歪補償を行う性能よりも１．３６ｄＢの改善が確認された。この改善は本技術なしではシステム上、成立しない。
【０１５９】
上述の実施例については代表的な例として説明したが、本発明の趣旨及び範囲内で、多くの変形及び置換することができることは当業者に明らかである。例えば、上述の実施例については代表的な例として説明したが、本発明の趣旨及び範囲内で、多くの変形及び置換することができることは当業者に明らかである。例えば、上述の実施例では、本発明を高度広帯域衛星放送の伝送方式（ＩＳＤＢ−３）に適用した例を示したが、本発明は、伝送制御信号（ＴＭＣＣ信号）を備えた伝送方式であれば適用することができ、例えば日本のＢＳデジタル放送の放送方式であるＩＳＤＢ-Ｓ、地上デジタル放送の放送方式であるＩＳＤＢ-Ｔ、ヨーロッパの放送方式であるＤＶＢ-Ｓ２やＤＶＢ-Ｔ２にも適用可能である。ただし、伝送方式によって、伝送制御信号（ＴＭＣＣ信号）に確保可能な拡張領域の大きさが異なるため、適用するシステムごとに数値的な調整が必要である。従って、本発明は、上述の実施例によって制限するものと解するべきではなく、特許請求の範囲によってのみ制限される。
【産業上の利用可能性】
【０１６０】
本発明によれば、送信装置は、所定の伝送路歪要素の各入出力特性を個別に示す伝送路特性情報を識別し更新可能に放送波で伝送し、受信装置は更新可能とした当該伝送路特性情報を放送波で受信し各入出力特性を個別に識別して逆特性により等化処理を施して歪補償を行うため、歪補償性能を更に向上させることができ、尚且つ、リアルタイム性（即応性）の向上、及びインフラ設備のコスト低下を図ることができるので、デジタル放送の伝送路の歪補償を行う用途に有用である。
【符号の説明】
【０１６１】
１  送信装置
１ａ  大電力増幅器（ＨＰＡ）
２  衛星中継器
３，３‐１，３‐２，…，３‐ｎ  受信装置
１１ａ  伝送制御情報及び伝送路特性情報フレーム生成部
１１ｂ  フレーム生成部
１２ａ，１２ｂ  ＢＣＨ符号化部
１３ａ，１３ｂ  ＬＤＰＣ符号化部
１４ａ，１４ｂ  マッピング部
１５  伝送路特性情報発生部
１６  信号点系列多重部
１７  直交変調部
２１  入力フィルタ（ＩＭＵＸフィルタ）
２２  電力増幅器（ＴＷＴＡ）
２３  出力フィルタ（ＯＭＵＸフィルタ）
３１  直交復調部
３２  等化部
３３  信号点系列分離部
３４ａ，３４ｂ  ＬＬＲ計算部
３５ａ，３５ｂ  ＬＤＰＣ復号部
３６ａ，３６ｂ  ＢＣＨ復号部
３７ａ  伝送制御情報及び伝送路特性情報フレーム分離部
３７ｂ  フレーム分離部
３８  伝送路特性情報抽出部
３９  逆特性情報生成部
１１１ａ  制御信号生成部
１１２ａ  ＴＭＣＣ信号の送信用レジスタ
３２１  ＯＭＵＸ逆特性等化部
３２２  ＴＷＴＡ逆特性等化部
３２３  ＩＭＵＸ逆特性等化部
３２４  ＨＰＡ逆特性等化部
３７１ａ  制御信号生成部
３７２ａ  ＴＭＣＣ信号の受信用レジスタ
３７３ａ  伝送路特性情報の更新用レジスタ
３７４ａ  更新制御部
【図１】
2019016994.tif 000003
【図２】
2019016994.tif 000004
【図３】
2019016994.tif 000005
【図４】
2019016994.tif 000006
【図５】
2019016994.tif 000007
【図６】
2019016994.tif 000008
【図７】
2019016994.tif 000009
【図８】
2019016994.tif 000010
【図９】
2019016994.tif 000011
【図１０】
2019016994.tif 000012
【図１１】
2019016994.tif 000013